(57)【要約】  本発明は、折り畳み可能であり、軽量であり、簡単に組み立てることができる低製造費および低人件費の陳列台であって、ショッピングモール、スーパーマーケット、小売店、商店、および催事会場等で様々な種類およびサイズの商品を陳列するために用いる、容易に取り外し可能な段ボール製、厚紙製、ゴム製、またはプラスチック製の部品からなる陳列台に関する。
2013515561.tif 000002
【特許請求の範囲】
【請求項１】
ショッピングモール、スーパーマーケット、小売店、商店、および催事会場等で様々な種類およびサイズの商品を陳列するために用いる折り畳み可能な商品陳列台（１）であって、
後壁（２）と、上記後壁（２）に取り付けられた２つの側壁（４）と、上記後壁（２）および上記２つの側壁（４）に取り付けられた複数の棚（５）とを備え、
上記後壁（２）の側面には、複数の横ラグ（１３）が形成されており、
上記複数の横ラグ（１３）は、横ラグ用折り畳み線（１６）によって折り畳み可能であり、
上記複数の横ラグ（１３）および上記２つの側壁（４）は、複数の接続部材（７）によって互いに締結しており、
上記複数の棚（５）には、複数の棚用接続突起部（２０）が形成され、
複数の棚用接続スロット（１４）が、上記複数の棚用接続突起部（２０）に対応するように上記後壁（２）の高さ方向に所定の間隔で形成され、
上記複数の側壁（４）には、上記複数の棚（５）の複数の折り畳み可能な横ウィング（６）の外面が上記複数の側壁（４）の内面に接触するように、上記複数の接続部材（７）によって当該複数の横ウィング（６）が取り付けられており、
上記棚の本体（１８）に取り付けられた下部接続板（３４）に嵌合している複数のゴム部材（３６）各々を、上記複数の側壁（４）に設けられた上記複数の接続部材（７）各々に締結することにより、上記複数の棚（５）が折り畳み可能な状態で上記複数の側壁（４）に取り付けられていることを特徴とする折り畳み可能な商品陳列台（１）。
【請求項２】
上記後壁（２）を折り畳ませるために当該後壁（２）に形成された水平折り畳み線（２．１）を備えていることを特徴とする請求項１に記載の折り畳み可能な商品陳列台（１）。
【請求項３】
上記複数の接続部材（７）を嵌合するための複数の接続孔（１５）が、上記後壁（２）の上記複数の横ラグ（１３）に所定の間隔で形成されていることを特徴とする請求項１に記載の折り畳み可能な商品陳列台（１）。
【請求項４】
上記後壁（２）の上部分に形成されたハンドル（３）を備えていることにより、上記陳列台を容易に持ち運び可能であることを特徴とする請求項１に記載の折り畳み可能な商品陳列台（１）。
【請求項５】
上記複数の側壁（４）の上部領域には、複数の上部ラグ（９）が形成されており、
上記複数の上部ラグ（９）は、折り畳み動作を行うために複数の上部ラグ用折り畳み線（１０）各々の周りを回転可能であることを特徴とする請求項１に記載の折り畳み可能な商品陳列台（１）。
【請求項６】
上記陳列台が組み立てられている間は、上記複数の側壁（４）は、垂直折り畳み線（１１）の周りに任意に折り畳まれることを特徴とする請求項１に記載の折り畳み可能な商品陳列台（１）。
【請求項７】
上記複数の側壁（２）には、上記後壁（２）の上記水平折り畳み線（２．１）と同じ直線上にある水平折り畳み線（１２）が形成されていることを特徴とする請求項１に記載の折り畳み可能な商品陳列台（１）。
【請求項８】
上記複数の側壁（４）には、上記複数の横ラグ（１３）に設けられた他の複数の接続孔（１５）に対応するように複数の接続孔（１５）が形成されていることを特徴とする請求項１に記載の折り畳み可能な商品陳列台（１）。
【請求項９】
上記複数の接続部材（７）として、好ましくはプラスチック製の材料から形成されたネジを用いていることを特徴とする請求項１に記載の折り畳み可能な商品陳列台（１）。
【請求項１０】
上記複数の接続部材を嵌合するために上記複数の棚（５）の上記複数の横ラグ（６）に設けられた複数の接続孔（８）を備えていることを特徴とする請求項１に記載の折り畳み可能な商品陳列台（１）。
【請求項１１】
上記複数の棚（５）の上記複数の横ウィング（６）の一方の側面には、横ウィングラグ（２１）が形成されており、
上記複数の横ウィング（６）の他方の側面には、ノッチ部（２３）が形成されていることを特徴とする請求項１に記載の折り畳み可能な商品陳列台（１）。
【請求項１２】
上記ノッチ部（２３）は、ノッチ部用折り畳み線（２４）の周りに折り畳み可能であり、
上記ノッチ部（２３）には、複数のゴムノッチ（２５）が設けられていることを特徴とする請求項１に記載の折り畳み可能な商品陳列台（１）。
【請求項１３】
上記棚（５）の前方には、棚用前方ラグ（２７）が形成されており、
上記棚用前方ラグ（２７）は、第１折り畳み線（２８）および第２折り畳み線（２９）の周りに折り畳み可能であることを特徴とする請求項１に記載の折り畳み可能な商品陳列台（２）。
【請求項１４】
上記棚用前方ラグ（２７）が上記第１折り畳み線（２８）の周りに折り畳まれた後、当該棚用前方ラグ（２７）の下部分に横部接続板（３１）が取り付けられることを特徴とする請求項１に記載の折り畳み可能な商品陳列台（１）。
【請求項１５】
上記横部接続板（３１）が取り付けられた後、上記本体（１８）は上記棚用折り畳み線（１９）によって２つに折り畳まれ、最終的に上記棚（５）の上記複数の横ウィング（６）が横ウィング用折り畳み線（１７）によって上記本体（１８）に対して直交する位置に配置されるように折り畳まれることを特徴とする請求項１に記載の折り畳み可能な商品陳列台（１）。
【請求項１６】
上記複数の横ウィング（６）が上記本体（１８）に対して直交する状態で折り畳まれた後、上記横部接続板（３１）に取り付けられた上記複数のゴム部材（３３）は、上記複数の横ウィング（６）に設けられた上記複数のゴムノッチ（２５）に嵌合することを特徴とする請求項１に記載の折り畳み可能な商品陳列台（１）。
【請求項１７】
上記下部接続板（３４）に嵌合した上記複数のゴム部材（３６）は、上記本体（１８）に設けられた複数のゴム部材用通過孔（２６）を通されることを特徴とする請求項１に記載の折り畳み可能な商品陳列台（１）。
【請求項１８】
上記後壁（２）、上記複数の側壁（４）、および上記複数の棚（５）は、それぞれ完全に再利用可能な紙製の材料から形成されていることを特徴とする請求項１に記載の折り畳み可能な商品陳列台（１）。
【請求項１９】
上記後壁（２）、上記複数の側壁（４）、および上記複数の棚（５）の後面には、宣伝および販促のための視覚的な用具が印刷によって設けられていることを特徴とする請求項１に記載の折り畳み可能な商品陳列台（１）。
【発明の詳細な説明】
【技術分野】
【０００１】
本発明は、折り畳み可能であり、軽量であり、簡単に組み立てることができる低製造費および低人件費の陳列台であって、ショッピングモール、スーパーマーケット、小売店、商店、および催事会場等で様々な種類およびサイズの商品を陳列するために用いる、容易に取り外し可能な段ボール製、厚紙製、ゴム製、またはプラスチック製の部品からなる陳列台に関する。
【背景技術】
【０００２】
商品を陳列するという手法は、当該商品の紹介および販売において広く用いられている手法の１つである。商品を陳列することにより、客は商品を直接見て、詳しく調べることが可能となる。これは、商品の魅力を高めることもできる。従来技術における商品陳列台は、金属製およびプラスチック製の材料から形成されており、陳列する商品の種類およびサイズに応じて異なるサイズおよび形状に形成されていた。
【０００３】
金属製の材料で形成されている現在の商品陳列台は、複雑であり、高コストである。金属製の陳列台を生産するために長い期間を要することは、準備期間を長くするだけでなく、自身の複雑性および製造費を高めることになる。また、金属素材が高価であり、容易に処理することができないという他の要因が、陳列台が訓練を受けたスタッフあるいはこの分野において精通している企業のみによって生産可能であるという現状をもたらしている。
【０００４】
一方、プラスチック製の材料で形成されている商品陳列台は、プラスチック射出等の方法によって製造された構成部品を組み立てることによって最終的な陳列台の形態をなしている。陳列台の構成部品を製造するためにプラスチック射出法を用いると、金属性の商品陳列台を製造する場合と比較して、製造費を下げることができる。しかしながら、陳列台を組み壊した場合、これらの構成部品の収納が問題となる。さらに、プラスチック射出を用いた製造は、プラスチック射出装置ならびに鋳型を有している企業でのみで実現可能である。プラスチック製の陳列台は、金属製の陳列台と比較して軽量ではるが、折り畳み可能ではない。金属製の陳列台と同様に、これらの陳列台を組み壊した場合には大きい空間を占有することになる。組み壊した陳列台の各構成部品によって占有される空間を考えると、構成部品が比較的に多い陳列台ほど求められる空間が大きいことが明らかである。この要因は、収納関連および運搬関連の双方の問題を引き起こす。
【０００５】
さらに陳列台には、宣伝情報および販促情報が印刷されている。しかしながら、このような印刷された宣伝情報および販促情報は、客にしっかりと見てもらえるとは限らない。そのため、客に対する宣伝効果および販促効果が軽減されてしまう。これを避けるために、ポスターおよび広告等の視覚的な用具を陳列台に貼り付けている。このようなポスターおよび広告の材料は、擦り切れ、色褪せ、切り裂かれ、やがて機能を失う。
【０００６】
我々が行った特許調査では、折り畳み可能な陳列台に関連する特許出願は見つからなかった。トルコ特許庁に出願された実用新案出願２００５／０１６６５は、商品の陳列および収納のための陳列台であって、陳列する商品に連結され、当該商品が収容される少なくとも１つの収容部材と、当該収容部材に形成された少なくとも１つの陳列開口部とを有する陳列台に関する。
【０００７】
一方、トルコ特許庁に出願された他の実用新案出願２００８／０２６０５は、粒状構造を持つ固形食品（例えば、乾燥豆、ドライナッツ、およびドライフルーツ等）を外部環境の影響を受けない衛生環境下で収容、陳列、および販売するための陳列台であって、自身が備える照明によって当該食品を照明すると共に保温する陳列台に関する。
【発明の概要】
【発明が解決しようとする課題】
【０００８】
本発明の目的は、折り畳み可能であり、軽量であり、簡単に組み立てることができる低製造費および低人件費の陳列台であって、ショッピングモール、スーパーマーケット、小売店、商店、および催事会場等で様々な種類およびサイズの商品を陳列するために用いる、容易に取り外し可能な段ボール製、厚紙製、ゴム製、またはプラスチック製の部品からなる陳列台を提供することにより、従来技術において生じる問題を解決することである。
【発明の効果】
【０００９】
本発明に係る折り畳み可能な陳列台によって奏する効果は、以下に列挙するとおりである：
−本発明の折り畳み可能な陳列台を段ボール、厚紙、ゴム、およびプラスチック等の材料によって製造することにより、陳列台にかかる原材料費（投入量）を十分に削減することができる。
−原材料費（投入量）を削減すると共に、人件費を削減することができる。
−陳列台の本体と複数の横ウィングとが簡単に折り畳み可能に作られているため、陳列台を使用していないときに占有する空間を最小限に抑えることができ、陳列台の運搬をスムーズに行うことができる。陳列台の折り畳みは、簡単な方法で誰にでも行うことができる。
−視覚的な用具をオフセット印刷等の方法によって陳列台に貼り付けることにより、陳列台の宣伝能力および販促能力を向上させることができる。これにより、陳列台ならびに陳列台に陳列された商品をより視覚に訴えることができる。
−本発明の折り畳み可能な陳列台を再利用可能な材料（紙、段ボール等）で製造することにより、関連環境汚染のリスクを完璧に防ぐことができる。
【図面の簡単な説明】
【００１０】
【図１】折り畳み可能な商品陳列台の前面を示す透視図である。
【図２】折り畳み可能な商品陳列台の後面を示す透視図である。
【図３】折り畳み可能な商品陳列台が開いている状態を示す図である。
【図４】折り畳み可能な商品陳列台が折り畳まれている状態を示す図である。
【図５】組み壊されている状態の折り畳み可能な商品陳列台を構成する後壁および側壁を示す前面図である。
【図６】商品陳列棚を見開いた状態の平面図である。
【図６ａ】商品陳列棚を構成する構成部品を示す透視図である。
【図６ｂ】商品陳列棚と壁との間を接続するゴム製の接続部材を示す透視図である。
【図６ｃ】商品陳列棚が如何様にして折り畳まれるかを示す図である。
【図６ｄ】商品陳列棚が如何様にして折り畳まれるかを示す図である。
【図６ｅ】商品陳列棚が折り畳まれている状態を示す透視図である、
【発明を実施するための形態】
【００１１】
本発明は、折り畳み可能であり、軽量であり、簡単に組み立てることができる低製造費および低人件費の陳列台（１）であって、ショッピングモール、スーパーマーケット、小売店、商店、および催事会場等で様々な種類およびサイズの商品を陳列するために用いる、容易に取り外し可能な段ボール製、厚紙製、ゴム製、またはプラスチック製の部品からなる陳列台（１）に関連する。
【００１２】
図１および２に示すように、折り畳み可能な陳列台（１）は、一般的に後壁（２）、当該後壁（２）から容易に取り外し可能な２つの側壁（４）、後壁（２）および２つの側壁（４）に取り付けられている複数の棚（５）、ならびに陳列台を容易に持ち運びできるように後壁（２）の上部に設けられたハンドル（３）を有している。一部の接続部材を除いて、後壁（２）、２つの側壁（４）、および複数の棚（５）は、完全に再利用可能な紙製材料（段ボール、厚紙等）によって形成されている。さらに、後壁（２）、２つの側壁（４）、および複数の棚（５）の後面には、宣伝および販促のための視覚的な用具が印刷等の方法によって付けられている。
【００１３】
図５は、組み壊されている状態の折り畳み可能な商品陳列台（１）を構成する構成部材を示す図である。本図に示すように、複数の横ラグ（１３）が後壁（２）の側面に設けられている。複数の横ラグ（１３）には、複数の接続孔（１５）が所定の間隔で形成されている。複数の横ラグ（１３）は、横ラグ（１３）用の複数の折り畳み線（１６）の周りを回って折り畳み（回転）動作をすることができる。さらに、後壁（２）には複数の水平折り畳み線（２．１）が形成されている。水平折り畳み線（２．１）の数は、好ましくは２つである。水平折り畳み線（２．１）ならびに横ラグ用折り畳み線（１６）の数は、陳列する商品の種類およびサイズに応じて増やす、あるいは減らしてもよい。複数の相互の棚用接続スロット（１４）は、各棚（５）に２つずつ設けられており、後壁（２）の高さ方向に所定の間隔で設けられている。
【００１４】
２つの側壁（４）は、互いに同じ構造を有している。２つの側壁（４）の上部領域には複数の上部ラグ（９）が設けられている。当該複数の上部ラグ（９）は、上部ラグ（９）用の複数の折り畳み線（１０）の周りを回って折り畳み動作をすることができる。２つの側壁（４）は、必要に応じて垂直折り畳み線（１１）の周りに折り畳むことができる（陳列台が組み立てられている状態において）。折り畳む結果、２つの側壁（４）の幅は半分のサイズに縮小される。同様に、後壁（２）の水平折り畳み線（２．１）と同じ直線上にある複数の水平折り畳み線（１２）が、２つの側壁（４）には形成されている。本発明に係る好適な実施形態においては、２つの水平折り畳み線（２．１，１２）は、それぞれ後壁（２）および２つの側壁（４）に形成されていることが好ましい。当該水平折り畳み線の数は、任意に増やす、あるいは減らしてもよい。
【００１５】
後壁（２）と２つの側壁（４）との組立ては、複数の横ラグ（１３）および２つの側壁（４）それぞれに設けられた複数の接続孔（１５）を重ね合わせ、これらの孔（１５）に複数の接続部材（７）を通すことによって実現される。複数の接続部材（７）は、プラスチック製の材料からなるネジであってもよい。当該複数の接続部材（７）は、後壁（２）および２つの側壁（４）を組み立てるために用いられているだけである。これらはさらに、複数の棚（５）と２つの側壁（４）とを組み立てるためにも用いられる（図４参照）。
【００１６】
図６は、商品陳列棚（５）を見開いた状態の平面図である。複数の棚（５）は、棚用折り畳み線（１９）の周りに折り畳むことができる本体（１８）を備えている。複数の横ウィング（６）は、本体（１８）の両側面に設けられている。複数の横ウィング（６）は、横ウィング（６）用の複数の折り畳み線（１７）の周りに折り畳むことができる。複数の横ウィングラグ（２１）は、複数の横ウィング（６）各々の一方の縁部に設けられている。当該複数の横ウィングラグ（２１）は、自身に設けられた複数の折り畳み線（２２）の周りを回転移動することができる。複数の横ウィング（６）各々の他方の縁部には、ノッチ部（２３）が設けられている。当該ノッチ部（２３）は、ノッチ部用折り畳み線（２４）の周りに折り畳むことができる。ノッチ部（２３）には、２つのゴムノッチ（２５）が設けられていることが好ましい。
【００１７】
一方、棚（５）の中心部分には、２つの棚用接続突起部（２０）が設けられている。これらの棚用接続突起部（２０）が後壁（２）に設けられた棚用接続スロット（１４）に嵌合することにより、複数の棚（５）と後壁（２）との間が確実に接続される。
【００１８】
棚用前方ラグ（２７）は、棚（５）の前方に形成されている。当該棚用前方ラグ（２７）は、第１折り畳み線（２８）および第２折り畳み線（２９）の周りに折り畳むことができる。
【００１９】
複数の棚（５）を製造するために、プラスチック製およびゴム製の特別な部品が一部使用されており、これらの部品はその後折り畳まれる。これらの部品および動作についての詳細な説明は、以下で行う。
【００２０】
図６に示すように、横部接続板（３１）は、好ましくはプラスチック材料で形成されており、複数の棚（５）の製造時に用いられる。特に、本体（１８）に対して直交する位置に複数の横ウィング（６）を配置し、当該横ウィング（６）をその位置に固定するために用いられている。２つのゴム（３３）は、横部接続板（３１）の両端部に設けられた複数のスロットに通された後、当該板に形成された複数の締結孔（３２）に通される。この動作の結果、横部接続板（３１）の外観は、図６ｂに示したものになる。
【００２１】
同様に、複数の棚（５）に取り付けられた下部接続板（３４）が用いられている。当該下部接続板（３４）は、複数の棚（５）が形成された後に当該複数の棚（５）に取り付けられる。２つのゴム（３６）は、まず下部接続板（３４）に設けられた複数のスロットを通された後、複数の締結孔（３５）を通される。この動作の結果、下部接続板（３４）の外観は、図６ｂに示したものになる。
【００２２】
以上の動作を行うことによって、図６ｃに示すように、棚用前方ラグ（２７）は第１折り畳み線（２８）によって折り畳まれ、横部接続板（３１）は棚用前方ラグ（２７）の下部に取り付けられる。この動作により、棚の本体（１８）は棚用折り畳み線（１９）によって２つに折り畳まれる。最後に棚（５）の複数の横ウィング（６）は、複数の横ウィング用折り畳み線（１７）によって、本体（１８）に対して直交する位置に配置されるように折り畳まれる。この動作により、横部接続板（３１）に設けられた複数のゴム部材（３３）は、複数の横ウィング用折り畳み線（１７）によって、折り畳まれた複数の横ウィング（６）に設けられた複数のゴムノッチ（２５）に嵌合する。これにより、棚（５）の側面は閉じられる（図６ｅ参照）。これらのゴム（３３）は、陳列台を運搬する際に棚（５）を折り畳ませるためにも役立つ。
【００２３】
図６ｃに示すように、下部接続板（３４）の複数のゴムは、本体（１８）に設けられた複数のゴム部材用通過孔（２６）を通される。本体（１８）が折り畳まれた後は、下部接続板（３４）は折り畳まれた本体（１８）の内部に位置したままである。そして、複数のゴム（３６）は本体（１８）の下部から外部に向かって伸展する。図３および４に示すように、下部接続板（３４）の複数のゴム（３６）は、２つの側壁（４）に締結された複数の接続部材（７）に嵌合する。これにより、複数の棚（５）は２つの側壁（４）に対して折り畳み可能な状態で取り付けられる。
【００２４】
複数の棚（５）の複数の横ウィング（６）は、複数の接続部材（７）によって、２つの側壁（４）の内側面に締結される。複数の棚（５）の複数の横ウィング（６）の外側面は、２つの側壁（４）の内側面に接触している。これにより、複数の横ウィング（６）の複数の接続孔（８）を通る複数の接続部材（７）によって、棚と２つの側壁との間の接触が形成される。
【符号の説明】
【００２５】
１  折り畳み可能な商品陳列台
２  後壁
２．１  水平折り畳み線
３  ハンドル
４  側壁
５  棚
６  横ウィング
７  接続部材
８  接続孔
９  上部ラグ
１０  上部ラグ用折り畳み線
１１  垂直折り畳み線
１２  水平折り畳み線
１３  横ラグ
１４  棚用接続スロット
１５  接続孔
１６  横ラグ用折り畳み線
１７  横ウィング用折り畳み線
１８  本体
１９  棚用折り畳み線
２０  棚用接続突起部
２１  横ウィングラグ
２２  横ウィングラグ用折り畳み線
２３  ノッチ部
２４  ノッチ部ラグ
２５  ゴムノッチ
２６  ゴム部材用通過孔
２７  棚用前方ラグ
２８  第１保持線
２９  第２保持線
３０  締結孔
３１  横部接続板
３２  締結孔
３３  ゴム部材
３４  下部接続板
３５  ゴム孔
３６  ゴム部材
【図１】
2013515561.tif 000003
【図２】
2013515561.tif 000004
【図３】
2013515561.tif 000005
【図４】
2013515561.tif 000006
【図５】
2013515561.tif 000007
【図６】
2013515561.tif 000008
【図６ａ】
2013515561.tif 000009
【図６ｂ】
2013515561.tif 000010
【図６ｃ】
2013515561.tif 000011
【図６ｄ】
2013515561.tif 000012
【図６ｅ】
2013515561.tif 000013
【国際調査報告】
2013515561.tif 000014
2013515561.tif 000015